(57)【要約】      （修正有）【課題】医療用ベッドに用いるリクライニングフレームの位置を簡単に調節できるリクライニング装置を提供する。【解決手段】医療用ベッドに組合わされる下部フレーム１０と、前記カバー体１２から突出するスクリューと、一端が前記カバー体１２に固設される位置決めロッドと、一端が前記カバー体１２に固設される外部管２０と、連動ブロックと、一端が前記連動ブロックに固定される内部管４０とを有し、該内部管４０は外部管に対し進退自在となっており、前記内部管４０の他端には第１連動アーム４１、枢軸４２、及び第２連動アーム４３が連結され、該第２連動アーム４３の端部にローラ４４が設けられ、該ローラ４４がリクライニングフレーム４５の下側に配置され、前記内部管４０の後退動作によって第２連動アーム４３が上昇移動することで、リクライニングフレーム４５を移動する構成とした。【選択図】図４
0003115583.tif 000002
【実用新案登録請求の範囲】
【請求項１】
リクライニングフレーム４５の位置を調節できる医療用ベッドのリクライニング装置であって、
医療用ベッドに組合わされ、側辺にカバー体１２が設けられたモータ１１を設置した下部フレーム１０と、
前記カバー体１２から突出し、前記モータ１１によって駆動されるスクリュー１３と、
一端が前記カバー体１２に固設されると共に、下側に所定の間隔をおいて複数の位置合わせ部材１５が設けられた位置決めロッド１４と、
一端が前記カバー体１２に固設されると共に、内部に複数の位置合わせ溝２１を有し、上側の位置合わせ溝２１上に位置決めロッド１４と位置合わせ部材１５が挿嵌されるＴ字形溝２２が形成された内部が中空状の外部管２０と、
内周に、前記スクリュー１３と螺合される雌ねじ部３１が形成されると共に、外周に所定の間隔をおいて、位置合わせ溝２１と対応する複数の凸部３２が設けられたリング状の連動ブロック３０と、
一端が前記連動ブロック３０に固定された内部が中空状の内部管４０と、を備え、
前記内部管４０の他端に、第１連動アーム４１、枢軸４２、及び第２連動アーム４３が連結され、該第２連動アーム４３の端部にローラ４４が設けられ、該ローラ４４がリクライニングフレーム４５の下側に配置されることを特徴とする医療用ベッドのリクライニング装置。
【請求項２】
前記外部管２０の他端には、内部管４０の他端が進退自在となる貫通孔を有する外カバー５０が固設されていることを特徴とする請求項１に記載の医療用ベッドのリクライニング装置。
【考案の詳細な説明】
【技術分野】
【０００１】
本考案は、特に、医療用ベッドに用いるリクライニングフレームの位置を簡単に調節できるリクライニング装置に関するものである。
【背景技術】
【０００２】
医療用ベッドの目的は主に、患者を横に寝かせて休養させ、より早く病気から回復させることにある。従来の医療用ベッドは通常、リクライニングフレームが備えられており、リクライニングフレームにより、病人の上半身を所定の高さに位置付けるよう調節できるので、実用性に優れている。
【考案の開示】
【考案が解決しようとする課題】
【０００３】
しかしながら、前記従来の医療用ベッドのモータの駆動方式は、リクライニングフレームを一旦所定の位置まで移動させてから位置決めしなければならないので、病人や手の不自由な人にとってはその様な操作は非常に難しい。故に、従来の医療用ベッドには、更に改良する余地がある。
【課題を解決するための手段】
【０００４】
本考案の請求項１は、リクライニングフレーム４５の位置を調節できる医療用ベッドのリクライニング装置であって、医療用ベッドに組合わされ、側辺にカバー体１２が設けられたモータ１１が設置された下部フレーム１０と、前記カバー体１２から突出し、前記モータ１１によって駆動されるスクリュー１３と、一端が前記カバー体１２に固設されると共に、下側に所定の間隔をおいて複数の位置合わせ部材１５が設けられる位置決めロッド１４と、一端が前記カバー体１２に固設されると共に、内部に複数の位置合わせ溝２１を有し、上側の位置合わせ溝２１上に位置決めロッド１４と位置合わせ部材１５が挿嵌されるＴ字形溝２２が形成される、内部が中空状の外部管２０と、内周に、前記スクリュー１３と螺合されるねじ山３１が形成されると共に、外周に所定の間隔をおいて、位置合わせ溝２１と対応する複数の凸部３２が設けられるリング状の連動ブロック３０と、一端が前記連動ブロック３０に固定される、内部が中空状の内部管４０と、を有し、前記内部管４０の他端に、第１連動アーム４１、枢軸４２、及び第２連動アーム４３が連結され、該第２連動アーム４３の端部にローラ４４が設けられ、該ローラ４４がリクライニングフレーム４５の下側に配置されることを特徴とする。
本考案の請求項２は、請求項１に記載の医療用ベッドのリクライニング装置いおいて、前記外部管２０の他端には、内部管４０の他端が進退自在となる貫通孔を有する外カバー５０が固設されていることを特徴とする。
【考案の効果】
【０００５】
本考案は、リクライニングフレームの位置を調節できる医療用ベッドのリクライニング装置であって、医療用ベッドに組合わされ、側辺にカバー体が設けられたモータが設置された下部フレームと、前記カバー体から突出し、前記モータによって駆動されるスクリューと、一端が前記カバー体に固設されると共に、下側に所定の間隔をおいて複数の位置合わせ部材が設けられる位置決めロッドと、一端が前記カバー体に固設されると共に、内部に複数の位置合わせ溝を有し、上側の位置合わせ溝上に位置決めロッドと位置合わせ部材が挿嵌されるＴ字形溝が形成される、内部が中空状の外部管と、内周に、前記スクリューと螺合される雌ねじ部が形成されると共に、外周に所定の間隔をおいて、位置合わせ溝と対応する複数の凸部が設けられるリング状の連動ブロックと、一端が前記連動ブロックに固定される、内部が中空状の内部管と、を有し、前記内部管の他端に、第１連動アーム、枢軸、及び第２連動アームが連結され、該第２連動アームの端部にローラーが設けられ、該ローラーがリクライニングフレームの下側に配置される構成を備えているので、調節時において、凸部が所定の位置合わせ部材と接触すると、モータが停止し、リクライニングフレームが患者の希望した角度に位置される。故に、患者のみならず看護士にとっても操作が非常に楽である。
【考案を実施するための最良の形態】
【０００６】
以下、添付図面を参照して本考案の好適な実施の形態を詳細に説明する。
【実施例】
【０００７】
図１は本考案に係る医療用ベッドのリクライニング装置の実施例を示す斜視図であり、図２は本考案に係る医療用ベッドのリクライニング装置の図１の分解斜視図であり、図３は本考案に係る医療用ベッドのリクライニング装置を医療用ベッドに組み込んだ状態を示す側面図であり、図４は本考案に係る医療用ベッドのリクライニング装置を作動させた状態を示す側面図であり、図５は本考案に係る医療用ベッドのリクライニング装置の作動状態を示す側面断面図である。
【０００８】
図１乃至図３に示すように、本考案の医療用ベッドのリクライニング装置は、医療用ベッドに組み合わされる。
リクライニング装置の構成は、側辺にカバー体１２が設けられたモータ１１を有する下部フレーム１０と、前記カバー体１２から突出して、前記モータ１１によって駆動されるスクリュー１３と、一端が前記カバー体１２に固設されると共に、下側に所定の間隔をおいて複数の位置合わせ部材１５が設けられた角棒状の位置決めロッド１４と、一端が前記カバー体１２に固設されると共に、内部に複数の位置合わせ溝２１を有し、上側の位置合わせ溝２１上に位置決めロッド１４と位置合わせ部材１５が挿嵌されるＴ字形溝２２が形成される、内部が中空状の外部管２０と、内周に、前記スクリュー１３と螺合される雌ねじ部３１が形成されると共に、外周に所定の間隔をおいて、位置合わせ溝２１と対応する複数の凸部３２が設けられ、前記外部管２０内において移動可能に設けられるリング状の連動ブロック３０と、一端が前記連動ブロック３０に固定されると共に、前記外部管２０の端部に固定された内部に孔を有する外カバー５０から進退自在に延出し、外部管２０に対して伸縮可能な内部管４０とを備える。
そして、前記内部管４０の他端に、第１連動アーム４１、枢軸４２、第２連動アーム４３が連結され、該第２連動アーム４３の端部にはローラ４４が設けられ、該ローラ４４がリクライニングフレーム４５の下側に配置される。
【０００９】
図３及び図５に示すように、本考案のリクライニング装置を使用する時は、モータ１１によりスクリュー１３を回転させ、このスクリュー１３の回転により連動ブロック３０及び内部管４０を後退させる。
この後退動作により、内部管４０が第１連動アーム４１を引張るようになるので、これにより枢軸４２を揺動させ、同時に、第２連動アーム４３の端部に設けられたローラ４４で第２連動アーム４３を上方移動させる。
【００１０】
このように第２連動アーム４３を上方に移動させながら、リクライニングフレーム４５を所望の角度まで調節して行き、適切なる所望位置まで上昇したら、連動ブロック３０上の凸部３２を位置合わせ部材１５に接触係合させることでリクライニングフレーム４５を固定し、モータ１１を停止させる（図４を参照）。
この構成によれば、病人や手の不自由な人でも簡単にリクライニングフレームの位置を調節することができるので、極めて実用的である。
【００１１】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１２】
【図１】本考案に係る医療用ベッドのリクライニング装置の実施例を示す斜視図である。
【図２】本考案に係る医療用ベッドのリクライニング装置図１の分解斜視図である。
【図３】本考案に係る医療用ベッドのリクライニング装置を医療用ベッドに組み込んだ状態を示す側面図である。
【図４】本考案に係る医療用ベッドのリクライニング装置を作動させた状態を示す側面図である。
【図５】本考案に係る医療用ベッドのリクライニング装置の作動状態を示す側面断面図である。
【符号の説明】
【００１３】
１０        下部フレーム
１１        モータ
１２        カバー体
１３        スクリュー
１４        位置決めブロック
１５        位置合わせ部材
２０        外部管
２１        位置合わせ溝
２２        Ｔ字形溝
３０        連動ブロック
３１        雌ねじ
３２        凸部
４０        内部管
４１        第１連動アーム
４２        枢軸
４３        第２連動アーム
４４        ローラ
４５        リクライニングフレーム
５０        外カバー
【図１】
0003115583.tif 000003
【図２】
0003115583.tif 000004
【図３】
0003115583.tif 000005
【図４】
0003115583.tif 000006
【図５】
0003115583.tif 000007